(57)【特許請求の範囲】
【請求項１】
インターネットならびに電子メール等への接続するための通信機能を有する携帯電話と、該携帯電話で受信した画面表示情報を拡大表示するための画面拡大表示部を有するモニタとからなる携帯電話の画面拡大表示システムであって、前記携帯電話には、外部よりの受信情報および音声受信情報を表示信号および音声信号として前記モニタに送信する通信回路が設けられているとともに、該モニタには、前記携帯電話の通信回路から送られた表示信号および音声信号を受信するための通信回路と、該通信回路によって受信された表示信号を拡大回路ならびに表示回路を介して拡大表示する画面拡大表示部および通信回路によって受信された音声信号を増幅・調整・再生する音声回路を介して音声を出力する音声発生部とが設けられていることを特徴とする携帯電話の画面拡大表示システム。
【請求項２】
前記携帯電話の通信回路と、前記モニタの通信回路とが無線方式により情報信号を、少なくとも前記携帯電話側から前記モニタ側へ、相互に伝送することを特徴とする請求項１に記載の携帯電話の画面拡大表示システム。
【請求項３】
前記モニタは該電源回路の一部に前記携帯電話用の充電回路を併設しているとともに該充電回路が外部の充電回路とケーブルで接続されていることを特徴とする請求項１または２に記載の携帯電話の画面拡大表示システム。
【請求項４】
前記モニタはテレビ受像器と接続するためのテレビ受信アダプタおよび音声再生用の音声発生部を有していることを特徴とする請求項１、２または３に記載の携帯電話の画面拡大表示システム。
【発明の詳細な説明】
【０００１】
【発明の属する技術分野】
本発明は、インターネットならびに電子メール等を介して各種の情報を授受するのに適した携帯電話を端末とした画面拡大表示システムに関する。
【０００２】
【従来の技術】
従来のインターネットならびに電子メール等への接続手段としては、パソコン、携帯電話、携帯端末（ＰＤＡ）または携帯電話とパソコンの組み合わせ等にて行われている。また、その通信手段として、パソコンには通信用モデムを、携帯電話とパソコンの接続にはデータ通信ポートを使用している。
【０００３】
ところが、前記４つの接続手段は、各々以下のような欠点を抱えている。まずパソコンはその基本操作の習熟が必要であり、その操作性が単なる携帯電話と比べ複雑であり、使い勝手が悪いという不便さがあり、携帯電話はその携帯性ならびに小形軽量性のため液晶表示部が小さくて見にくく、携帯端末（ＰＤＡ）はパソコンと携帯電話の中間に位置づけられ、パソコンと同様に基本操作の習熟が必要でありその操作性に難点があり、携帯性はあるが、画像・映像・音声等の性能もしくは機能の点では物足りなく、かつ、携帯電話とほぼ同様に液晶表示部が小さくて見にくい、また、携帯電話とパソコンとの組み合わせでは、前記のようにパソコンの基本操作の習熟が必要である。
【０００４】
【発明が解決しようとする課題】
前記インターネットならびに電子メール等への接続手段の中で、携帯電話が、その携帯性等の利便性により近年益々それらへの接続利用に多用されているが、現状の携帯電話の液晶画面では前記のように携帯電話の大きさをできるだけ小さくして持ちやすくする携帯性ならびに小型軽量化に重点がおかれており、必然的にその画面表示部の大きさには制限があることとなり、情報の表示性能において表示文字が小さくなり見にくいということに加え、一度に表示可能な文字数に限りがあり大容量の情報を扱うには不適である。また、少し多めの情報では、その情報全体を見るためには何回となくこまめにスクロールを繰り返す必要があるという不便があり、それらの改善策を必要としている。
【０００５】
前記問題を解決するために、従来技術として、携帯電話の液晶画面部の見易さを改善するための発明が特開２０００−１８１３７５ならびに特開２０００−１７４８６６にて公開されているが、いずれも携帯電話自身の液晶表示画面にレンズやその他の光学系の装置を組み入れて、もしくは、組み合わせて元々狭い携帯電話の液晶画面表示部のみを拡大・表示しているもので、液晶画面に表示される文字数は変わず、一度に読める文字数に限りがあるという不都合がある。
【０００６】
また、携帯電話の場合は、パソコンもしくは携帯電話とパソコンとの組み合わせでの利用の場合と比べて、前記のような文字数の多い文字情報の問題に加え、今後、益々増えるであろう、画像・映像等の表示ならびに音声の再生等の能力において、多機能性に劣るという問題がある。
【０００７】
現状の携帯電話はバッテリー駆動であり、外部設置型の充電器を必要としており、その外部充電器の設置スペースおよび外置きという点で不便さがある。
【０００８】
【発明の目的】
そこで、本発明は、係る従来技術の不都合ならびに問題を解消し、且つ、携帯電話の携帯性、小形軽量性、操作性、機能性等の利便性を更に発揮するために、携帯電話と画面拡大表示システムとを接続して、パソコンを介さずインターネットならびに電子メール等をさらに簡便な方法で各種の情報を見やすく、容易に楽しむことができる携帯電話の画面拡大表示システムを提供することを目的としている。
【０００９】
【課題を解決するための手段】
本発明では、携帯電話を介してパソコン等よりも簡便にインターネットならびに電子メール等に接続でき、その携帯電話で受信した画面表示情報を拡大表示するための画面拡大表示部を有するモニタとからなる携帯電話の画面拡大表示システムにおいて、前記携帯電話には、インターネットならびに電子メール等による外部よりの大容量の文字・画像・映像等の受信情報を表示信号として前記モニタに送信する通信回路が設けられているとともに、画面拡大表示機能をもつモニタには、前記携帯電話の通信回路から送られた表示信号を受信するための通信回路と、その通信回路によって受信された表示信号を拡大回路にて拡大し、かつ、その表示信号を表示回路にて表示範囲・領域、表示区分等の画面表示指令を作成し、その指示に基づき拡大表示する画面拡大表示部とから構成されていることを特徴としている。
【００１０】
前記携帯電話の画面拡大表示システムであって、前記携帯電話には、インターネットならびに電子メール等による外部よりの音声受信情報を音声信号として前記モニタに送信する通信回路が設けられているとともに、そのモニタには、前記携帯電話の通信回路から送られた音声信号を受信するための通信回路と、その通信回路によって受信された音声信号を増幅・調整・再生する音声回路を介して音声を出力する音声発生部とが設けられていることを特徴としている。
【００１１】
すなわち、本発明では携帯電話の液晶画面表示の領域を越えて、より広い領域でインターネットならびに電子メール等からの文字・画像・映像情報等を音声と伴に拡大表示できる機能を有する。
【００１２】
本発明では、前記携帯電話の通信回路と、前記モニタの通信回路とが無線方式により情報信号を、少なくとも前記携帯電話側から前記モニタ側へ、相互に伝送する機能を有する。
【００１３】
本発明では、前記モニタは前記携帯電話を充電するための充電回路をその本体の電源回路に接続して内蔵する。すなわち、設置された状態では充電器を含めて前記携帯電話と前記モニタが一体となり省スペースが可能となる。また、この充電回路は非常時または補助システムとして、外部の充電器ともケーブルにて接続することができる。
【００１４】
本発明では、前記モニタは外部のテレビ受像器と接続するためのテレビ受信アダプタおよび音声再生用の音声発生部を内蔵し、そのテレビ受像器とは別個に選択されたチャンネルを見ることができる。
【００１５】
本発明では、前記モニタは前記携帯電話を介して受信した情報の全てをまたはその一部を必要とする情報として表示信号の内容を印刷信号に変換して印刷する外部のプリンタに接続するためのプリンタ接続回路を有する。
【００１６】
本発明では、前記携帯電話の通信回路と、前記モニタの通信回路とを介してインターネットならびに電子メール等との双方向通信を、携帯電話もしくはモニタの入力操作部のどちらからでも行うことができる。また、インターネットならびに電子メール等への接続はその入力操作部からワンタッチにて行うことができる。
【００１７】
本発明では、前記モニタは大型のカラーもしくは白黒の液晶ディスプレイまたはＣＲＴディスプレイ方式のいずれの表示方式でも機能し、高精細の表示が可能である。
【００１８】
本発明では、前記モニタは卓上タイプもしくは床置きタイプもしくは壁掛けタイプのいずれかにより、使用場所等を考慮して選択できるように構成されている。
【００１９】
【発明の実施の形態】
以下、本発明の実施の形態を図面に基づいて説明する。
【００２０】
図１は、本発明の実施の形態を表している全体システム図である。必要とする情報は携帯電話１１を介して、インターネットもしくは電子メール等に接続し、それらより受信した情報を無線式通信にてモニタ１２で受信する。受信信号は拡大・調整された後画面拡大表示部２１に拡大表示される。また、音声信号は映像とともに音声発生部１３にて再生される。
【００２１】
また、その表示範囲については、携帯電話の受信信号を液晶表示画面に表示されたもののみを表示するのではなく、モニタ１２の画面拡大表示部２１に表示可能な領域一杯に表示される。また、テレビ受信アダプタを介して外部テレビ受像器１５との接続ならびにプリンタ接続端子１４を通じて外部プリンタとの接続も可能である。
【００２２】
さらに、本システムは双方向通信ができ、携帯電話１１もしくはモニタ１２のどちらかの入力操作部で操作できる。電源はコンセント１７を介して外部より供給される。また、その電源回路２３には携帯電話の充電器１６が備えられており、携帯電話もしくは画面拡大表示システムを不使用の時は、そこで充電され、単独の携帯電話の充電器は不要である。
【００２３】
図２は、本発明の実施の形態を表している画面拡大表示システムのモニタの詳細図であり、本図においてそのモニタの構成を説明する。
【００２４】
モニタ１２は、回路部３０と入力操作部２２と画面拡大表示部２１と音声発生部１３の４つの主要部から構成される。
その回路部３０は、電源２３と、通信回路２４と、拡大回路２５と、表示回路２６と、音声回路２７と、テレビ受信アダプタ２８と、プリンタ接続回路２９ならびに充電回路１６とから構成される。
また、携帯電話１１は、双方向通信を行なうための通信回路１１aを備えている。
【００２５】
テレビ受像器とプリンタは外部装置である。
【００２６】
図３は、本発明の実施の形態における画面拡大表示システムのモニタの回路図であり、本図においてそのモニタの回路構成を説明する。
【００２７】
携帯電話１１には、インターネットならびに電子メール等による外部よりの大容量の文字・画像・映像等の受信情報を表示信号としてモニタ１２に送信する通信回路１１aが設けられているとともに、画面拡大表示部２１をもつモニタには、携帯電話１１の通信回路１１aから送られた表示信号を受信するための通信回路２４と、その通信回路２４によって受信された表示信号を拡大回路２５にて拡大し、かつ、その表示信号を表示回路２６にて表示範囲・領域、表示区分等の画面表示指令を作成し、その指示に基づき拡大表示する画面拡大表示部２１とから構成されている。
【００２８】
また、前記携帯電話１１には、インターネットならびに電子メール等による外部よりの音声受信情報を音声信号として前記モニタに送信する通信回路１１aが設けられているとともに、そのモニタ１２には、携帯電話１１の通信回路１１aから送られた音声信号を受信するための通信回路２４と、その通信回路２４によって受信された音声信号を増幅・調整・再生する音声回路２７を介して音声を出力する音声発生部１３とが設けられている。
【００２９】
前記モニタ１２は、前記携帯電話１１を充電するための充電回路１６をその本体の電源回路２３に接続して内蔵する。この充電回路１６は非常時または補助システムとして、外部の充電器ともケーブルにて接続することができる。
【００３０】
前記モニタ１２は、テレビ受像器と接続するためのテレビ受信アダプタ２８および音声再生用の音声発生部１３を内蔵し、その外部のテレビ受像器とは別個に選択されたチャンネルを見ることができる。
【００３１】
前記モニタ１２は、前記携帯電話１１を介して受信した情報の全てをまたはその一部を必要とする情報として表示信号の内容を印刷信号に変換して印刷する外部のプリンタに接続するためのプリンタ接続回路２９を有する。
【００３２】
本発明では、前記携帯電話１１の通信回路１１aと、前記モニタ１２の通信回路２４とを介してインターネット等との双方向通信を、携帯電話１１もしくはモニタ１２の入力操作部２２のどちらからでも行うことができる。また、インターネットならびに電子メール等への接続はその入力操作部２２からワンタッチにて行うことができる。
【００３３】
図３ならびに図４は、画面拡大表示システムの各種の利用形態を示している。本発明では、現在良く使われているインターネットにおける各種のホームページからの情報検索に加え、家庭でのホームドクターによる医療診断ならびにインターネットバンキングもしくはオンラインショッピング、また、さらに高速通信網の発達により、今後益々増えるであろう家庭での書籍・新聞等の読書もしくは閲覧、また映画ならびに音楽等の配信を大形のカラー画面拡大表示システムで楽しむことが可能となる。
【００３４】
【発明の効果】
本発明は、以上のように構成され機能するので、携帯電話で扱うインターネットならびに電子メール等からの大容量の情報を画面拡大表示システムで見ることができ、携帯電話の多機能性を拡充することで、従来にない容易で優れたシステムを提供することができる。
【００３５】
本発明は携帯電話がインターネットならびに電子メールとの通信手段として益々利用される社会の要請の中で、図４ならびに図５に示した利用形態のように、パソコンを介さず直接携帯電話でインターネットや電子メールに接続して、文字・画像・映像・音楽情報等の各種情報を容易に画面拡大表示システムで楽しむことができる。
【００３６】
携帯電話の液晶画面表示は文字の大きさに限りがあり、高年層が必要とする情報を容易に判読できにくい不都合を、携帯電話と画面拡大表示システムとで容易に見やすい表示を可能とする。
【図面の簡単な説明】
【図１】実施の形態における携帯電話の画面拡大表示システム−システム概念図。
【図２】実施の形態における携帯電話の画面拡大表示システム−モニタの構成図。
【図３】実施の形態における携帯電話の画面拡大表示システム−モニタの回路図。
【図４】実施の形態における携帯電話の画面拡大表示システム−本システムの利用形態−１。
【図５】実施の形態における携帯電話の画面拡大表示システム−本システムの利用形態−２。
【符号の説明】
１１    携帯電話
１１ａ  通信回路
１２    モニタ
１３    音声発生部
１４    プリンタ接続端子
１５    テレビ受像器
１６    携帯電話の充電器
１７    コンセント
２１    画面拡大表示部
２２    入力操作部
２３    電源回路
２４    通信回路
２５    拡大回路
２６    表示回路
２７    音声回路
２８    テレビ受信アダプタ
２９    プリンタ接続回路
３０    回路部
【図１】
0004028685.tif 000002
【図２】
0004028685.tif 000003
【図３】
0004028685.tif 000004
【図４】
0004028685.tif 000005
【図５】
0004028685.tif 000006